(57)【要約】【課題】ケーブルの自重が、ブッシング部の電圧測定端子とケーブルとの接続箇所に作用することを抑制することができるコンデンサ形計器用変圧器を提供すること。【解決手段】コンデンサ形計器用変圧器１は、回路電圧を分圧するコンデンサと電圧測定端子７とを有するブッシング部２と、ブッシング部２を支持する支持構造体３と、ブッシング部２と離間して配置され、ブッシング部２で分圧された電圧を直列接続された共振リアクトルを介して取り出す変圧器部４と、電圧測定端子７と変圧器部４とを電気的に接続するケーブル５と、電圧測定端子７の近傍における支持構造体３に設けられ、ケーブル５を支持構造体３に固定するケーブル固定部材１１，１２，１３，１４と、を備える。【選択図】図１
2013012672.tif 000002
【特許請求の範囲】
【請求項１】
回路電圧を分圧するコンデンサと電圧測定端子とを有するブッシング部と、
前記ブッシング部を支持する支持構造体と、
前記ブッシング部と離間して配置され、該ブッシング部で分圧された電圧を直列接続された共振リアクトルを介して取り出す変圧器部と、
前記電圧測定端子と前記変圧器部とを電気的に接続するケーブルと、
少なくとも前記電圧測定端子の近傍における前記支持構造体に設けられ、前記ケーブルを該支持構造体に固定するケーブル固定部材と、
を備えるコンデンサ形計器用変圧器。
【請求項２】
前記ケーブル固定部材は、前記ケーブルを内部に収納する収納凹部を有する請求項１に記載のコンデンサ形計器用変圧器。
【請求項３】
前記ケーブル固定部材は、前記電圧測定端子の近傍以外の位置の前記支持構造体にも設けられる請求項１又は２に記載のコンデンサ形計器用変圧器。
【請求項４】
前記変圧器部は、前記電圧測定端子の近傍に配置される請求項１又は２に記載のコンデンサ形計器用変圧器。
【発明の詳細な説明】
【技術分野】
【０００１】
本発明は、コンデンサ形計器用変圧器に関する。
【背景技術】
【０００２】
従来より、変電設備等においては、コンデンサ形計器用変圧器（Ｐｏｔｅｎｔｉａｌ  Ｄｅｖｉｃｅ）が設置されている（例えば、特許文献１参照）。このようなコンデンサ形計器用変圧器は、回路電圧をコンデンサで分圧し、この分圧した電圧を、直列接続した共振リアクトルを介して変圧器により取り出すものである。つまり、このコンデンサ形計器用変圧器によれば、高電圧回路の電圧を静電容量分圧の原理を用いて分圧し、計器や継電器用の低電圧を取り出すことができる。
【０００３】
このような従来のコンデンサ形計器用変圧器は、回路電圧を分圧するコンデンサと電圧測定端子とを有するブッシング部と、ブッシング部を支持する支持構造体と、ブッシング部と離間して配置され、該ブッシング部で分圧された電圧を直列接続された共振リアクトルを介して取り出す変圧器部と、電圧測定端子と変圧器部とを電気的に接続するケーブルと、を備える。ケーブルは、例えば、プリカチューブと称される可撓性を有する樹脂製の電線管に挿通され、この電線管が上記支持構造体に固定される。このようにして、ケーブルは、ブッシング部の電圧測定端子と変圧器部との間に敷設されていた。
【先行技術文献】
【特許文献】
【０００４】
【特許文献１】特開２００６−３１０６９２号公報
【発明の概要】
【発明が解決しようとする課題】
【０００５】
しかし、上記従来技術に記載のケーブルは、電線管に対しては固定されていなかった。そのため、ケーブルの自重が、ブッシング部の電圧測定端子とケーブルとの接続箇所に、引っ張り荷重として作用していた。従って、この引張り荷重が、上記接続箇所に長期に亘って作用すると、接続箇所が損傷する虞があった。
【０００６】
本発明は、ケーブルの自重が、ブッシング部の電圧測定端子とケーブルとの接続箇所に作用することを抑制することができるコンデンサ形計器用変圧器を提供することを目的とする。
【課題を解決するための手段】
【０００７】
本発明は、回路電圧を分圧するコンデンサと電圧測定端子とを有するブッシング部と、前記ブッシング部を支持する支持構造体と、前記ブッシング部と離間して配置され、該ブッシング部で分圧された電圧を直列接続された共振リアクトルを介して取り出す変圧器部と、前記電圧測定端子と前記変圧器部とを電気的に接続するケーブルと、少なくとも前記電圧測定端子の近傍における前記支持構造体に設けられ、前記ケーブルを該支持構造体に固定するケーブル固定部材と、を備えるコンデンサ形計器用変圧器に関する。
【０００８】
また、前記ケーブル固定部材は、前記ケーブルを内部に収納する収納凹部を有することが好ましい。
【０００９】
また、前記ケーブル固定部材は、前記電圧測定端子の近傍以外の位置の前記支持構造体にも設けられることが好ましい。
【００１０】
また、前記変圧器部は、前記電圧測定端子の近傍に配置されることが好ましい。
【発明の効果】
【００１１】
本発明によれば、ケーブルの自重が、ブッシング部の電圧測定端子とケーブルとの接続箇所に作用することを抑制することができるコンデンサ形計器用変圧器を提供することができる。
【図面の簡単な説明】
【００１２】
【図１】第１実施形態のコンデンサ形計器用変圧器１を示す正面図である。
【図２】第１実施形態のコンデンサ形計器用変圧器１を示す側面図である。
【図３】第１実施形態のコンデンサ形計器用変圧器１の概略構成を示す回路図である。
【図４】図２においてＡ方向から視た第１固定部を示す図である。
【図５】第２固定部、第３固定部及び第５固定部におけるケーブル固定部材を示す図である。
【図６】第４固定部におけるケーブル固定部材を示す図である。
【図７】第２実施形態のコンデンサ形計器用変圧器１Ａを示す側面図である。
【図８】第３実施形態のコンデンサ形計器用変圧器１Ｂを示す正面図である。
【図９】第３実施形態のコンデンサ形計器用変圧器１Ｂを示す側面図である。
【発明を実施するための形態】
【００１３】
〔第１実施形態〕
以下に、本発明の第１実施形態のコンデンサ形計器用変圧器について、図１から図６を参照しながら説明する。図１は、第１実施形態のコンデンサ形計器用変圧器１を示す正面図である。図２は、第１実施形態のコンデンサ形計器用変圧器１を示す側面図である。図３は、第１実施形態のコンデンサ形計器用変圧器１の概略構成を示す回路図である。図４は、図２においてＡ方向から視た第１固定部を示す図である。図５は、第２固定部、第３固定部及び第５固定部におけるケーブル固定部材を示す図である。図６は、第４固定部におけるケーブル固定部材を示す図である。
【００１４】
図１から図６に示すように、第１実施形態のコンデンサ形計器用変圧器１は、ブッシング部２と、支持構造体３と、変圧器部４と、ケーブル５と、ケーブルトレイ１１と、支持板１２と、サドル１３と、サドル固定部材１４と、ケーブル支持片１７と、固定片１８と、支持片固定部材１９と、を備える。ケーブルトレイ１１、支持板１２、サドル１３、サドル固定部材１４、ケーブル支持片１７、固定片１８及び支持片固定部材１９は、ケーブル固定部材として機能する。
【００１５】
図３に示すように、ブッシング部２は、主コンデンサＣ１及び分圧コンデンサＣ２と、電圧測定端子７とを有する。主コンデンサＣ１及び分圧コンデンサＣ２は、回路電圧を分圧する。電圧測定端子７は、電圧を測定するための端子であり、図１及び図２に示すように、ブッシング部２からほぼ水平に延びている。
【００１６】
支持構造体３は、ブッシング部２を支持する構造体である。支持構造体３は、複数の柱部材や梁部材等から構成される。これらの柱部材や梁部材には、いわゆるＨ形鋼が用いられる。
【００１７】
変圧器部４は、変圧用コイル、共振コンデンサ及び共振リアクトル（いずれも図示せず）等を有する。変圧器部４は、ブッシング部２で分圧された電圧を、直列接続された共振リアクトルを介して取り出す。変圧器部４は、図１及び図２に示すように、ブッシング部２と離間して配置される。変圧器部４は、図１及び図２に示すように、架台８に載置されている。
【００１８】
ケーブル５は、電圧測定端子７と変圧器部４（詳細には、図示しない変圧用コイルの一次端子）とを電気的に接続する。ケーブル５は、屋外仕様のシースケーブル（例えば、エチレンプロピレンゴム絶縁クロロプレンシース）である。本実施形態で使用されるケーブル５の条長は、例えば、約９ｍ（端末先端間）である。
ケーブル５は、図１及び図２に示すように、第１固定部１０、第２固定部２０、第３固定部３０、第４固定部４０及び第５固定部５０において、支持構造体３に固定される。
【００１９】
第１固定部１０は、図１、図２及び図４に示すように、支持構造体３からほぼ垂直に設けられたケーブルトレイ１１と、ケーブルトレイ１１の上端部に設けられた支持板１２（図４参照）と、この支持板１２に固定され、ケーブル５を保持するサドル１３と、サドル１３を支持板１２に固定するサドル固定部材１４と、を備える。つまり、第１固定部１０において、ケーブル５は、ケーブルトレイ１１及び支持板１２を介して支持構造体３に固定される。
【００２０】
ケーブルトレイ１１は、図４に示すように、例えば、Ｃチャンネル鋼（リップ溝形鋼）により構成される。ケーブルトレイ１１は、ケーブル５を内部に収納する収納凹部１１ａを有する。ケーブルトレイ１１は、この収納凹部１１ａに沿って開口している。この収納凹部１１ａによれば、ケーブル５をケーブルトレイ１１の内部に収納することができる。そのため、ケーブル５が風雨等に直接曝されることを抑制することができる。収納凹部１１ａの開口は、必要に応じて被覆部材等（図示せず）によって被覆してもよい。
【００２１】
支持板１２は、図４に示すように、金属板からなり、ケーブルトレイ１１の上端部に溶接等により固定される。
サドル１３は、図４に示すように、例えば、帯状の金属板をほぼＵ字状に折曲して形成される。サドル１３は、ケーブルトレイ１１の収納凹部１１ａに配置され、上記Ｕ字状に折曲した部分によってケーブル５を保持する。
サドル固定部材１４は、ボルト、ナット、ワッシャ等から構成される。サドル固定部材１４は、ケーブル５を保持したサドル１３を、支持板１２に固定する。
【００２２】
第１固定部１０は、ブッシング部２の電圧測定端子７の近傍における支持構造体３に設けられる。「電圧測定端子７の近傍」とは、ケーブル５を支持構造体３に固定する場合において、電圧測定端子７とケーブル５との接続箇所に、ケーブル５の自重が、引っ張り荷重として作用することを抑制する効果が高い位置をいう。具体的には、例えば、電圧測定端子７から引き出されたケーブル５の長さが約２．５ｍ以内となる位置が、「電圧測定端子７の近傍」に該当する。本実施形態においては、第１固定部１０及び第２固定部２０（後述）の位置が、「電圧測定端子７の近傍」に該当する。
【００２３】
第２固定部２０は、図１及び図２に示すように、第１固定部１０よりも下方に配置される。第２固定部２０は、図１、図２及び図５に示すように、支持構造体３からほぼ垂直に設けられたケーブルトレイ１１と、このケーブルトレイ１１に固定され、ケーブル５を保持するサドル１３と、これらのサドル１３をケーブルトレイ１１に固定するサドル固定部材１４と、を備える。
【００２４】
サドル１３は、ケーブルトレイ１１において、上下方向に離間した３箇所の位置に設けられる。第２固定部２０において、ケーブル５は、ケーブルトレイ１１を介して支持構造体３に固定される。第２固定部２０におけるケーブルトレイ１１、サドル１３及びサドル固定部材１４は、第１固定部１０におけるケーブルトレイ１１、サドル１３及びサドル固定部材１４と同様であるので、同じ符号を付し、詳細な説明を省略する。また、以下の説明において、第１固定部１０と同様の構成については、同じ符号を付し、詳細な説明を省略する。
【００２５】
第３固定部３０は、図１及び図２に示すように、第２固定部２０よりも下方に配置される。第３固定部３０は、支持構造体３の側面にほぼ水平に設けられたケーブルトレイ１１と、このケーブルトレイ１１に固定されケーブル５を保持するサドル１３と、サドル１３をケーブルトレイ１１に固定するサドル固定部材１４と、を備える。
サドル１３は、ケーブルトレイ１１の両端付近の２箇所において、ケーブルトレイ１１に固定される。第３固定部３０において、ケーブル５は、ケーブルトレイ１１を介して支持構造体３に固定される。第３固定部３０のケーブルトレイ１１の下部には、ケーブルトレイ１１に浸入した雨水等をケーブルトレイ１１の外部に排出する水抜き穴が、適宜設けられる。
【００２６】
第４固定部４０は、図１及び図２に示すように、第３固定部３０よりも下方に配置される。第４固定部４０は、図１、図２及び図６に示すように、支持構造体３からほぼ水平方向に延びるように設けられたケーブル支持片１７と、これらのケーブル支持片１７に固定されケーブル５を保持するサドル１３と、サドル１３をケーブル支持片１７に固定するサドル固定部材１４と、を備える。ケーブル支持片１７は、上下方向に延びる支持構造体３において、上下方向に離間した３箇所の位置に設けられる。
【００２７】
ケーブル支持片１７は、図１及び図６に示すように、全体形状をＬ字状に形成された金属板からなる。ケーブル支持片１７は、図６に示すように、固定片１８及び支持片固定部材１９によって支持構造体３に固定される。固定片１８は、全体形状をＬ字状に形成された金属片である。支持片固定部材１９は、ボルト、ナット、ワッシャ等から構成される。第４固定部４０において、ケーブル５は、ケーブル支持片１７を介して支持構造体３に固定される。
【００２８】
第５固定部５０は、図１及び図２に示すように、第４固定部４０よりも下方に配置される。第５固定部５０は、支持構造体３の下部にほぼ水平に設けられたケーブルトレイ１１と、このケーブルトレイ１１に固定されケーブル５を保持するサドル１３と、サドル１３をケーブルトレイ１１に固定するサドル固定部材１４と、を備える。
【００２９】
サドル１３は、ケーブルトレイ１１の長手方向中央部及び端部の２箇所において、ケーブルトレイ１１に固定される。第５固定部５０において、ケーブル５は、ケーブルトレイ１１を介して支持構造体３に固定される。第５固定部５０のケーブルトレイ１１の下部には、ケーブルトレイ１１に浸入した雨水等をケーブルトレイ１１の外部に排出する水抜き穴（図示せず）が、適宜設けられる。
【００３０】
次に、前記ケーブル固定部材の作用について説明する。図１及び図２に示すように、第１固定部１０及び第２固定部２０において、ケーブル５は、ケーブル固定部材としてのケーブルトレイ１１、支持板１２、サドル１３及びサドル固定部材１４等により、支持構造体３に固定される。そのため、電圧測定端子７の近傍におけるケーブル５の自重は、ケーブル固定部材を介して支持構造体３によって支持される。
【００３１】
また、第３固定部３０、第４固定部４０及び第５固定部５０において、ケーブル５は、ケーブル固定部材としてのケーブルトレイ１１、サドル１３、サドル固定部材１４、ケーブル支持片１７、固定片１８及び支持片固定部材１９等により、支持構造体３に固定される。つまり、電圧測定端子７の近傍以外の位置においても、ケーブル５は、支持構造体３に固定される。そのため、第１固定部１０及び第２固定部２０にかかるケーブル５の自重が、第３固定部３０、第４固定部４０及び第５固定部５０によって分担される。
【００３２】
以上に説明した第１実施形態のコンデンサ形計器用変圧器１によれば、以下に示す各効果が奏される。
第１実施形態のコンデンサ形計器用変圧器１は、回路電圧を分圧する主コンデンサＣ１及び分圧コンデンサＣ２と電圧測定端子７とを有するブッシング部２と、ブッシング部２を支持する支持構造体３と、ブッシング部２と離間して配置され、ブッシング部２で分圧された電圧を直列接続された共振リアクトルを介して取り出す変圧器部４と、電圧測定端子７と変圧器部４とを電気的に接続するケーブル５と、電圧測定端子７の近傍における支持構造体３に設けられ、ケーブル５を支持構造体３に固定するケーブル固定部材としてのケーブルトレイ１１、支持板１２、サドル１３及びサドル固定部材１４と、を備える。
【００３３】
そのため、電圧測定端子７の近傍におけるケーブル５の自重は、前記ケーブル固定部材を介して支持構造体３によって支持される。従って、電圧測定端子７とケーブル５との接続箇所に、ケーブル５の自重が引っ張り荷重として作用することを抑制することができる。
【００３４】
また、ケーブル固定部材としてのケーブルトレイ１１は、ケーブル５を内部に収納する収納凹部１１ａを有する。そのため、ケーブル５が風雨等に直接曝されることを抑制することができる。
【００３５】
また、ケーブル固定部材としてのケーブルトレイ１１、サドル１３、サドル固定部材１４、ケーブル支持片１７、固定片１８及び支持片固定部材１９は、電圧測定端子７の近傍以外の位置の支持構造体３にも設けられる。
そのため、電圧測定端子７の近傍に設けられた前記ケーブル固定部材にかかるケーブル５の自重を、電圧測定端子７の近傍以外の位置に設けられたケーブル固定部材によって分担することができる。
【００３６】
次に、本発明の他の実施形態について説明する。他の実施形態については、主として、第１実施形態とは異なる点を中心に説明し、第１実施形態と同様の構成については、同じ符号を付し、詳細な説明を省略する。他の実施形態において特に説明しない点は、第１実施形態についての説明が適宜適用又は援用される。
【００３７】
〔第２実施形態〕
次に、本発明の第２実施形態のコンデンサ形計器用変圧器１Ａの構成について図７を参照しながら説明する。図７は、本発明の第２実施形態のコンデンサ形計器用変圧器１Ａを示す側面図である。
【００３８】
図７に示すように、第２実施形態のコンデンサ形計器用変圧器１Ａは、変圧器部４が、ブッシング部２の電圧測定端子７の近傍に配置される点において、第１実施形態のコンデンサ形計器用変圧器１と構成が異なる。また、第２実施形態のコンデンサ形計器用変圧器１Ａは、変圧器部４をブッシング部２の電圧測定端子７の近傍に配置したことにより、第１実施形態の第１固定部１０に相当する固定部のみを備える。更に、第２実施形態のコンデンサ形計器用変圧器１Ａは、第１実施形態の第２固定部２０、第３固定部３０、第４固定部４０及び第５固定部５０に相当する固定部を備えていない点が、第１実施形態のコンデンサ形計器用変圧器１と異なる。
【００３９】
図７に示すように、第２実施形態のコンデンサ形計器用変圧器１Ａは、ブッシング部２と、支持構造体３と、ブッシング部２の電圧測定端子７の近傍に配置される変圧器部４と、ケーブル５と、ケーブル５を支持構造体３に固定するケーブル固定部材としての支持板１２、サドル１３及びサドル固定部材１４と、を備える。
【００４０】
支持構造体３は、ブッシング部２の電圧測定端子７の近傍まで上下方向に延びている。変圧器部４は、架台６０の上部に固定されている。架台６０は、変圧器部４を電圧測定端子７の近傍に配置することができる高さに構成される。支持板１２は、第１実施形態の支持板１２（図４参照）の場合とほぼ同様に、支持構造体３の上端部に溶接等により固定される。支持板１２は、ケーブル５を下方から支持する。サドル１３は、ケーブル５を保持した状態で、サドル固定部材１４によって支持板１２に固定される。
その他の構成は、第１実施形態のコンデンサ形計器用変圧器１の構成と同様であるので、重複説明を省略する。
【００４１】
以上に説明した第２実施形態のコンデンサ形計器用変圧器１Ａによれば、以下に示す効果が奏される。
第２実施形態のコンデンサ形計器用変圧器１Ａは、ブッシング部２と、支持構造体３と、ブッシング部２の電圧測定端子７の近傍に配置される変圧器部４と、ケーブル５と、ケーブル固定部材としての支持板１２、サドル１３及びサドル固定部材１４と、を備える。
【００４２】
そのため、電圧測定端子７と変圧器部４との離間距離を短くすることができ、電圧測定端子７と変圧器部４とを接続するケーブル５の長さを、短くすることができる。これにより、ケーブル５の自重を少なくすることができる。更に、自重の少ないケーブル５は、支持板１２、サドル１３及びサドル固定部材１４により、支持構造体３に固定される。そのため、電圧測定端子７とケーブル５との接続箇所に、ケーブル５の自重が引っ張り荷重として作用することを抑制することができる。また、ケーブル５を支持構造体３に固定する固定部の数を削減することができる。
【００４３】
〔第３実施形態〕
次に、本発明の第３実施形態のコンデンサ形計器用変圧器１Ｂの構成について図８及び図９を参照しながら説明する。図８は、本発明の第３実施形態のコンデンサ形計器用変圧器１Ｂを示す正面図である。図９は、本発明の第３実施形態のコンデンサ形計器用変圧器１Ｂを示す側面図である。
【００４４】
図８及び図９に示すように、第３実施形態のコンデンサ形計器用変圧器１Ｂは、第１実施形態の第１固定部１０の代わりにケーブル収納箱７０を備え、かつ、第１実施形態の第３固定部３０、第４固定部４０及び第５固定部５０に相当する固定部を備えていない点が、第１実施形態のコンデンサ形計器用変圧器１と異なる。
【００４５】
図８及び図９に示すように、第３実施形態のコンデンサ形計器用変圧器１Ｂは、ブッシング部２と、支持構造体３と、変圧器部４と、ケーブル５と、所定長さ分のケーブル５を巻いた状態で収納するケーブル収納箱７０と、ケーブル固定部２０Ａと、を備える。
【００４６】
ケーブル収納箱７０は、図８及び図９に示すように、ブッシング部２の電圧測定端子７の近傍に配置される。ケーブル収納箱７０は、所定長さ分のケーブル５を巻いた状態で収納（載置）可能な有底箱状に構成される。ケーブル５を巻くのは、余剰分のケーブル５の長さを調節するためである。
【００４７】
ケーブル収納箱７０の上部の側面は、電圧測定端子７に接続される。電圧測定端子７から引き出されたケーブル５は、ケーブル収納箱７０の上部の側面からケーブル収納箱７０の内部に導入される。ケーブル収納箱７０は、後述するケーブルトレイ１１の上端部に固定される。また、ケーブル収納箱７０のブッシング部２側の一端は、固定部材７１を介してブッシング部２に固定される。
【００４８】
ケーブル収納箱７０の底部からは、ケーブル５が引き出される。ケーブル収納箱７０は、ケーブル５を収納した後にほぼ密閉される。ケーブル収納箱７０の底部には、ケーブル収納箱７０に浸入した雨水等をケーブル収納箱７０の外部に排出する水抜き穴（図示せず）が、適宜設けられる。
【００４９】
ケーブル固定部２０Ａは、ケーブル収納箱７０の下方に配置される。ケーブル固定部２０Ａは、支持構造体３からほぼ垂直に設けられ、収納凹部１１ａを有するケーブルトレイ１１と、ケーブル５を保持するサドル１３と、サドル１３をケーブルトレイ１１に固定するサドル固定部材１４と、ケーブルトレイ１１の収納凹部１１ａを覆う蓋部材１１ｂと、を備える。ケーブルトレイ１１、サドル１３及びサドル固定部材１４は、ケーブル固定部材として機能する。
【００５０】
ケーブルトレイ１１の上端部には、ケーブル収納箱７０が固定される。ケーブルトレイ１１の下端部は、変圧器部４の高さ方向における中間部付近まで延びている。ケーブルトレイ１１の下端部は、例えば筒状に構成された接続部材７５（図９参照）を介して、変圧器部４に接続される。接続部材７５の下部には、接続部材７５に浸入した雨水等を接続部材７５の外部に排出する水抜き穴（図示せず）が、適宜設けられる。
【００５１】
ケーブル収納箱７０の底部から引き出されたケーブル５は、ケーブルトレイ１１の収納凹部１１ａに導入され、ケーブルトレイ１１の長手方向に沿って収納される。この収納されたケーブル５は、サドル１３及びサドル固定部材１４によりケーブルトレイ１１に固定される。このように、ケーブル５は、ケーブル固定部２０Ａのケーブルトレイ１１を介して支持構造体３に固定される。
ケーブルトレイ１１に収納されたケーブル５の下端部は、接続部材７５の内部に通され、変圧器部４に接続される。
【００５２】
次に、コンデンサ形計器用変圧器１Ｂのケーブル収納箱７０及びケーブル固定部２０Ａの作用について説明する。図８及び図９に示すように、ケーブル５の一部は、巻かれた状態でケーブル収納箱７０の内部に載置される。つまり、電圧測定端子７の近傍におけるケーブル５の自重は、ケーブル収納箱７０によって支持される。
【００５３】
また、ケーブル収納箱７０から導出されたケーブル５は、ケーブル固定部材としてのケーブルトレイ１１、サドル１３及びサドル固定部材１４により、支持構造体３に固定される。そのため、ケーブル収納箱７０から導出されたケーブル５の自重は、前記ケーブル固定部材を介して支持構造体３によって支持される。
【００５４】
以上に説明した第３実施形態のコンデンサ形計器用変圧器１Ｂによれば、以下に示す効果が奏される。
第３実施形態のコンデンサ形計器用変圧器１Ｂは、ブッシング部２と、支持構造体３と、変圧器部４と、ケーブル５と、所定長さ分のケーブル５を巻いた状態で収納するケーブル収納箱７０と、ケーブル固定部材としてのケーブルトレイ１１、サドル１３及びサドル固定部材１４と、蓋部材１１ｂと、を備える。
【００５５】
そのため、電圧測定端子７の近傍におけるケーブル５の自重は、ケーブル収納箱７０及び前記ケーブル固定部材を介して支持構造体３によって支持される。従って、電圧測定端子７とケーブル５との接続箇所に、ケーブル５の自重が引っ張り荷重として作用することを抑制することができる。特に、ケーブル収納箱７０を設けたことにより、余剰長さ分のケーブル５の自重をケーブル収納箱７０によって支持することができる。そのため、前記ケーブル固定部材によって支持すべきケーブル５の自重を低減することができる。
【００５６】
また、ケーブル収納箱７０は、ケーブル５を収納した後にほぼ密閉される。更に、ケーブルトレイ１１の収納凹部１１ａは、蓋部材１１ｂによって覆われる。そのため、ケーブル５が風雨等に曝されることを抑制することができる。
【００５７】
また、第３実施形態のコンデンサ形計器用変圧器１Ｂは、第１実施形態の第３固定部３０、第４固定部４０及び第５固定部５０に相当する固定部を備えていない。そのため、ケーブル５を支持構造体３に固定する固定部の数を削減することができる。
【００５８】
以上、本発明の実施形態について説明したが、本発明は、前述した実施形態に制限されるものではなく、適宜変更が可能である。
例えば、前記第１実施形態においては、ケーブル固定部材は、電圧測定端子７の近傍以外の位置（例えば、第３固定部３０、第４固定部４０及び第５固定部５０が設けられる位置）の支持構造体３にも設けられるものとして説明したが、これに制限されない。電圧測定端子７の近傍に位置する第１固定部１０及び第２固定部２０における固定によって、ケーブル５の自重を効果的に支持することができる場合には、第３固定部３０、第４固定部４０及び第５固定部５０を設けなくてもよい。
【００５９】
前記第１実施形態及び前記第２実施形態においては、ケーブル５が、ほぼ露出状態で設置されているが、これに制限されない。例えば、ケーブル５を、図示しない被覆部材等によって被覆してもよい。これにより、ケーブル５が風雨等に直接曝されることを更に抑制することができる。
【００６０】
前記第３実施形態においては、ケーブル収納箱７０に収納したケーブル５をケーブル収納箱７０に固定していないが、これに制限されない。例えば、ケーブル収納箱７０に収納したケーブル５を、図示しないサドル等の固定部材によってケーブル収納箱７０に固定してもよい。その場合、ケーブル収納箱７０及び固定部材は、ケーブル固定部材として機能する。
【符号の説明】
【００６１】
１，１Ａ，１Ｂ  コンデンサ形計器用変圧器
２  ブッシング部
３  支持構造体
４  変圧器部
５  ケーブル
７  電圧測定端子
１１  ケーブルトレイ（ケーブル固定部材）
１１ａ  収納凹部
１２  支持板（ケーブル固定部材）
１３  サドル（ケーブル固定部材）
１４  サドル固定部材（ケーブル固定部材）
１７  ケーブル支持片（ケーブル固定部材）
１８  固定片（ケーブル固定部材）
１９  支持片固定部材（ケーブル固定部材）
Ｃ１  主コンデンサ（コンデンサ）
Ｃ２  分圧コンデンサ（コンデンサ）
【図１】
2013012672.tif 000003
【図２】
2013012672.tif 000004
【図３】
2013012672.tif 000005
【図４】
2013012672.tif 000006
【図５】
2013012672.tif 000007
【図６】
2013012672.tif 000008
【図７】
2013012672.tif 000009
【図８】
2013012672.tif 000010
【図９】
2013012672.tif 000011